(57)【要約】【解決手段】  アンカーブロック本体１に中空状の浮体２を備え、この浮体２にその内部と連通する排気バルブ３と注気バルブ５を設ける。また、浮体２の下部に注水孔４を設ける。【効果】浮体２内の空気を排気バルブ３から排気するだけで、注水孔４から浮体２内に注水され、自動的にアンカーブロックＡの浮力が減じられ、アンカーブロックＡを自重により極めて簡単、かつ、正確に所定位置に沈設することができる。注気バルブ５を通じて浮体２内に注気すると、アンカーブロックＡを極めて簡単に再浮上させることができる。アンカーブロックＡの平面形状を円形とし、その外周面に旋回翼７を設けておくと、アンカーブロックＡをほぼ垂直に、かつ、所定位置に正確に、しかも、転倒していない正規の姿で着底させることができる。【選択図】  図２
2005096491.tif 000002
【特許請求の範囲】
【請求項１】
アンカーブロック本体に中空状の浮体を備えたことを特徴とする曳航自沈式アンカーブロック。
【請求項２】
浮体にその内部と連通する排気バルブを、また、浮体の下部に注水孔を設けたことを特徴とする請求項１記載の曳航自沈式アンカーブロック。
【請求項３】
浮体にその内部と連通する注気バルブを設けたことを特徴とする請求項１または２記載の曳航自沈式アンカーブロック。
【請求項４】
アンカーブロックの平面形状を円形とし、その外周面に旋回翼を設けたことを特徴とする請求項１〜３のいずれかに記載の曳航自沈式アンカーブロック。
【請求項５】
コンクリート製のアンカーブロック本体を鋼製の函体と一体的ならしめ、この函体と前記アンカーブロック本体との間に１つの浮体が形成されていることを特徴とする請求項１〜４のいずれかに記載の曳航自沈式アンカーブロック。
【請求項６】
アンカーブロックの底面に突起を形成したことを特徴とする請求項１〜５のいずれかに記載の曳航自沈式アンカーブロック。
【請求項７】
アンカーブロックに備えられている中空状の浮体内に空気を注入し、その浮力を利用してアンカーブロックを所定の沈設場所まで曳航し、その場所で浮体内の空気を排気し、アンカーブロックの浮力を減じてアンカーブロックを自重により自沈させることを特徴とするアンカーブロックの沈設方法。
【請求項８】
アンカーブロックをクレーンにより陸上から着水させ、それを作業船により所定の沈設場所まで曳航することを特徴とする請求項７記載のアンカーブロックの沈設方法。
【請求項９】
着底したアンカーブロックに係留索を接続し、この係留索の上端に係留対象物を係留することを特徴とする請求項７または８記載のアンカーブロックの沈設方法。
【発明の詳細な説明】
【技術分野】
【０００１】
本発明は、海洋やダム湖その他の水域において、海洋構造物、ダム付帯設備、浮体構造物を係留する場合に用いるアンカーブロックとその係留方法に関するものである。
【背景技術】
【０００２】
海洋やダム湖その他の水域において、海洋構造物、ダム付帯設備、浮体構造物を係留する場合には、コンクリート製のブロックからなる重力式の礎繋装置、いわゆるアンカーブロックを使用するのが最も一般的である（例えば、特許文献１参照）。
【特許文献１】特開平１０−２０４８２７号公報
【発明の開示】
【発明が解決しようとする課題】
【０００３】
この種の礎繋装置（アンカーブロック）を用いる方法は、アンカーブロック自体のコストが他の工法に比べて安い反面、その沈設にクレーン台船（水上クレーンを搭載した船舶）が必要となるため、施工費が割高となる場合が多い。トータルコストで比較すると、礎繋装置（アンカーブロック）の設置個所や設置個数が多ければ、全体的には割安であるが、設置個所や設置個数が少ない場合には非常に割高となっていた。
【０００４】
施工場所が海洋や河川（下流域）であれば、クレーン台船を曳航させることで使用可能であるが、内水面の場合にはそれが使用できないから、それに代えて組立式の台船を用い、その上に大型クレーン（クローラクレーンと称されている）を搭載するのが一般的である。クレーン台船の曳航ならびに組立式台船の回送、組立、大型クレーン搭載等一連の準備作業は、施工費の大部分を占める場合が多い。また、これらの仮設費用は、アンカーブロックが１個でも１００個でも同様に発生するため、特に、施工数量が少ない場合には非常に割高になることが避けられない。
【課題を解決するための手段】
【０００５】
本発明の目的は、上述した種々の欠点を解消し得るアンカーブロックを提供するとともに、極めて簡単にアンカーブロックを沈設することができ、かつ、施工費用を縮減し得る方法を提供することである。
そして、この目的を達成するために、本発明では、アンカーブロック本体に中空状の浮体を備えたものとした。中空状の浮体の浮力を利用することにより、作業船にてアンカーブロックを所定の沈設位置まで曳航することができる。
【０００６】
浮体にその内部と連通する排気バルブを、また、浮体の下部に注水孔を設けておくことが望ましい。中空状の浮体内の空気を排気バルブから排気するだけで注水孔から中空状の浮体内に注水され、自動的にアンカーブロックの浮力が減じられるから、アンカーブロックを自重により極めて簡単に所定位置に沈設することができる。
【０００７】
浮体にその内部と連通する注気バルブを設けておくことが望ましい。浮体に通じる注気バルブを設けておくと、アンカーブロックを移設する必要が生じた際、注気バルブを介して浮体内に注気することでアンカーブロックを簡単に再浮上させることができ、曳航・沈設を繰り返すことができる。
【０００８】
アンカーブロックの平面形状を円形とし、その外周面に旋回翼を設けておくとよい。このようにすることにより、アンカーブロックは旋回しながら自沈して行き、所定位置に正確に沈設することができる。そして、アンカーブロックをほぼ垂直に、かつ、転倒していない正規の姿で着底させることができる。
【０００９】
コンクリート製のアンカーブロック本体を鋼製の函体と一体的ならしめ、この函体と前記アンカーブロック本体との間に１つの浮体が形成されたものとすることが望ましい。この場合には、函体自体が一種の型枠となるから、アンカーブロック作製時の型枠が不要となり、また、排気バルブも１箇所に設置するだけで済むから、コスト削減につながる。
【００１０】
アンカーブロックの底面に突起を形成しておくことが望ましい。アンカーブロックの底面に突起が形成されていると、着底した際前記突起が水底に食い込み、水底との摩擦力が増大するから、係留力の向上につながり、ひいてはアンカーブロック重量の低減、さらにはコスト縮減につながる。
【００１１】
一方、本発明では、アンカーブロックに備えられている中空状の浮体内に空気を注入し、その浮力を利用してアンカーブロックを所定の沈設場所まで曳航し、その場所で浮体内の空気を排気し、アンカーブロックの浮力を減じてアンカーブロックを自重により自沈させる。この沈設方法を採用することにより、極めて簡単、かつ、正確にアンカーブロックを沈設することができ、さらに、施工費を縮減することができる。
【００１２】
アンカーブロックをクレーンにより陸上から着水させ、それを作業船により所定の沈設場所まで曳航するようにするとよい。このようにすると、クレーン台船（水上クレーンを搭載した船舶）が不要となるため、施工費を大幅に縮減することができる。
【００１３】
着底したアンカーブロックに係留索を接続し、この係留索の上端に係留対象物を係留するとよい。この場合には、礎繋装置（アンカーブロック）の移動が容易であるから、移設が必要となる係留対象物の移動も容易に行うことができ、施設の維持費縮減に寄与することができる。
【発明の効果】
【００１４】
請求項１記載の発明によれば、中空状の浮体の浮力を利用することにより、作業船にてアンカーブロックを所定の沈設位置まで曳航することができるので、その施工費が縮減でき、かつ、安定した礎繋装置を安価に提供することができる。
【００１５】
請求項２記載の発明によれば、施工費が廉価で、かつ、極めて簡単に所定位置に沈設できる礎繋装置を提供することができる。
【００１６】
請求項３記載の発明によれば、アンカーブロックを移設する必要が生じた際、アンカーブロックを極めて簡単に再浮上させることができ、曳航・沈設を繰り返すことができるという利点を有する。
【００１７】
請求項４記載の発明によれば、アンカーブロックをほぼ垂直に、かつ、所定位置に正確に、しかも、転倒していない正規の姿で着底させることができる。
【００１８】
請求項５記載の発明によれば、函体自体が一種の型枠となるから、アンカーブロック作製時の型枠が不要となり、また、排気バルブも１箇所に設置するだけで済むから、コスト削減につながるという利点を有する。
【００１９】
請求項６記載の発明によれば、着底した際突起が水底に食い込み、水底との摩擦力が増大するから、係留力の向上につながり、ひいてはアンカーブロック重量の低減、さらにはコスト縮減につながるという利点を有する。
【００２０】
請求項７記載の発明によれば、極めて簡単にアンカーブロックを沈設することができ、かつ、施工費を縮減することができる。
【００２１】
請求項８記載の発明によれば、クレーン台船（水上クレーンを搭載した船舶）が不要となるため、施工費を大幅に縮減することができる。
【００２２】
請求項９記載の発明によれば、移設が必要となる係留対象物の移動も容易に行うことができ、施設の維持費縮減に寄与することができる。
【発明を実施するための最良の形態】
【００２３】
本発明によるアンカーブロックの好ましい実施の形態ならびにその沈設方法の好ましい実施の形態を、図面に基いて説明する。図１に、本発明によるアンカーブロックの基本形態を、図２に、その最良の形態を示す。なお、図２において、(a)は簡略化した外観図、(b)は簡略化した断面図である。
【００２４】
図１、図２において、図面符号１はコンクリート製のアンカーブロック本体、２は中空状の浮体、３は前記浮体２の上部に設けられ、その内部と連通する排気バルブ、４は前記浮体２の底面に設けられた注水孔で、この孔を通って浮体２内への注水が円滑に行われる。また、図２(b)における図面符号５は前記浮体２の上部に設けられ、その内部と連通する注気バルブである。なお、図１、図２において、実質的に同じ機能を果たすものについては、同一の図面符号で表わした。
【００２５】
中空状の浮体２の浮力を利用することにより、作業船にてアンカーブロックＡを所定の沈設位置まで曳航することができる。アンカーブロックＡの曳航を可能ならしめるためには、数トンないし数十トン程度の浮力が必要であり、浮体２としての強度を考慮すると、鋼製の函体６とするのが実用的である。
【００２６】
そして、中空状の浮体２内の空気を排気バルブ３から排気するだけで注水孔４から中空状の浮体２内に注水され、自動的にアンカーブロックＡの浮力が減じられるから、アンカーブロックＡの自重で極めて簡単に所定位置に沈設することができる。
【００２７】
一方、アンカーブロックＡを移設する必要が生じた場合には、コンプレッサー（図示しない）により前記浮体２の上部に設けられている注気バルブ５を介して浮体２内に注気するだけで、アンカーブロックＡを極めて簡単に再浮上させることができ、曳航・沈設を繰り返すことができる。
【００２８】
また、図２(a)に示すように、アンカーブロックＡの平面形状を円形とし、その外周面に旋回翼７を設ける。平面形状が円形のアンカーブロックＡ外周面にこの旋回翼７を設けることにより、アンカーブロックＡを図２(a)の矢印で示すように旋回させながらほぼ垂直に、かつ、所定位置に正確に、しかも、転倒していない正規の姿で水底Ｇ上に着底させることができる。アンカーブロックＡが方形状の場合には、水の抵抗により旋回させながらほぼ垂直に沈めて行くことが難しく、また、転倒した状態で着底する場合があるが、ここに例示したような構成とすることにより、そのような事態が生じるのを回避することができる。
【００２９】
また、図２(b)に示すように、コンクリート製のアンカーブロック本体１，１を鋼製の函体６と一体的ならしめ、この函体６と前記アンカーブロック本体１，１との間に１つの浮体２が形成されたものとしてある。このようにすると、函体６自体が一種の型枠となるから、アンカーブロック作製時の型枠が不要となり、また、排気バルブ３も１箇所に設置するだけで済むから、コスト削減につながる。
【００３０】
さらに、アンカーブロックＡの底面には突起８が多数形成されている。この突起８はいわゆるスパイク状のもので、アンカーブロックＡの底面にこの突起８が形成されていると、着底した際この突起が水底Ｇに食い込み、水底Ｇとの摩擦力が増大するから、係留力の向上につながり、ひいてはアンカーブロック重量の低減、さらにはコスト縮減につながる。
【００３１】
次に、本発明によるアンカーブロックの沈設方法の好ましい実施の形態を、図３および図４に基いて説明する。図３に、本発明によるアンカーブロックの沈設方法の基本形態を、図４に、その最良の形態を示す。アンカーブロックＡに備えられている中空状の浮体２内に空気を注入すると、その浮力を利用して図３(a)に示すようにアンカーブロックＡを所定の沈設場所まで曳航することが可能となる。そして、その場所で浮体２内の空気を排気すると、図３(b)に示すように、アンカーブロックＡの浮力が減じられ、アンカーブロックＡを自重により自沈させることができる。この沈設方法を採用することにより、極めて簡単にアンカーブロックＡを沈設することができ、かつ、施工費を縮減することができる。
【００３２】
図４(a)に示すように、アンカーブロックＡを移動式のクレーンＢにより陸上Ｃから着水させることができる。そして、このアンカーブロックＡを図４(b)に示すように作業船Ｄにより所定の沈設場所まで曳航する。この方法を採用すると、クレーン台船（水上クレーンを搭載した船舶）が不要となるため、施工費を大幅に縮減することができる。
【００３３】
そして、所定の沈設位置においてアンカーブロックＡに備えられている浮体２内の空気を排気すると、図４(c)に示すように、アンカーブロックＡの浮力が減じられ、アンカーブロックＡを自重により自沈させることができる。
【００３４】
図４(d)に示すように、水底Ｇ上に着底したアンカーブロックＡに係留索Ｅを接続し、この係留索Ｅの上端に係留対象物Ｆを係留することができる。この場合には、礎繋装置（アンカーブロック）の移動が容易であるから、移設が必要となる係留対象物Ｆの移動も容易に行うことができ、施設の維持費縮減に寄与することができる。
【産業上の利用可能性】
【００３５】
この曳航自沈式アンカーブロックは、浮桟橋や浮島の係留や流木止めの中間係留等に利用できる。特に、クレーン台船の曳航進入が不可能な水域や組立式台船の搬入・組立が困難なダム湖などにおいて、小型の作業船と移動式の油圧クレーンのみで施工可能であるから、極めて有利である。さらに、養殖施設など移設が必要となる浮体構造物の礎繋にも適用できる。
【図面の簡単な説明】
【００３６】
【図１】本発明によるアンカーブロックの基本形態を示す概略図である。
【図２】本発明によるアンカーブロックの最良の形態を示す概略図で、(a)は簡略化した外観図、(b)は簡略化した断面図である。
【図３】本発明によるアンカーブロックの沈設方法の基本形態を、工程順に示す概略図である。
【図４】本発明によるアンカーブロックの沈設方法の最良の形態を、工程順に示す概略図である。
【符号の説明】
【００３７】
１…アンカーブロック本体、２…浮体、３…排気バルブ、４…注水孔、５…注気バルブ、６…函体、７…旋回翼、８…突起、９…係留索、Ａ…アンカーブロック、Ｂ…クレーン、Ｃ…陸上、Ｄ…作業船、Ｅ…係留索、Ｆ…係留対象物、Ｇ…水底。
【図１】
2005096491.tif 000003
【図２】
2005096491.tif 000004
【図３】
2005096491.tif 000005
【図４】
2005096491.tif 000006